(57)【要約】      （修正有）【課題】回収式にすることで洗剤水の消費量を抑えつつ、洗浄性能の低下を抑制することができる浴槽洗浄装置を提供する。【解決手段】浴槽洗浄装置は、洗剤を貯留する洗剤タンクと、洗剤タンクから供給される洗剤と給水源から供給される水とを混合して洗剤水を生成する洗剤混合部４０と、浴槽の内壁面に洗剤水を噴射する洗浄ノズルと、浴槽の内壁面に接続され、洗浄ノズルから噴射された洗剤水を回収する回収流路と、回収流路に接続され、洗剤水を貯留可能な回収部５０と、回収部と洗浄ノズルとを接続する洗浄流路と、洗浄流路に設けられ、回収部で貯留された洗剤水を洗浄ノズルへと供給するポンプと、を備えている。回収部は、ポンプを介して洗浄ノズルから洗剤水を噴射する場合に、回収部に存在する泡が洗浄流路に侵入することを抑制する泡侵入抑制手段を有する。【選択図】図４
2020096663.tif 000002
【特許請求の範囲】
【請求項１】
洗剤を貯留する洗剤タンクと、
前記洗剤タンクから供給される洗剤と給水源から供給される水とを混合して洗剤水を生成する洗剤混合部と、
浴槽の内壁面に前記洗剤水を噴射する洗浄ノズルと、
前記浴槽の前記内壁面に接続され、前記洗浄ノズルから噴射された前記洗剤水を回収する回収流路と、
前記回収流路に接続され、前記洗剤水を貯留可能な回収部と、
前記回収部と前記洗浄ノズルとを接続する洗浄流路と、
前記洗浄流路に設けられ、前記回収部で貯留された前記洗剤水を前記洗浄ノズルへと供給するポンプと、を備え、
前記回収部は、前記ポンプを介して前記洗浄ノズルから前記洗剤水を噴射する場合に、前記回収部に存在する泡が前記洗浄流路に侵入することを抑制する泡侵入抑制手段を有することを特徴とする浴槽洗浄装置。
【請求項２】
前記洗剤混合部は、前記洗剤水を貯留可能な洗剤混合タンクであり、
前記回収部は、前記洗剤混合タンクに設けられ、
前記洗剤混合タンクは、前記回収流路が接続された回収側空間と、前記洗浄流路が接続された供給側空間と、を有し、
前記泡侵入抑制手段は、前記回収側空間から前記供給側空間に泡が移動するのを阻害する移動阻害部材を有することを特徴とする請求項１に記載の浴槽洗浄装置。
【請求項３】
前記移動阻害部材は、前記洗剤混合タンクの内部を上下方向に延びる縦壁を有し、
前記縦壁の下端は、前記洗浄ノズルから前記洗剤水を噴射しているときの前記洗剤混合タンクの最低水位以下で前記洗剤混合タンクの底部と離間するように設けられ、
前記洗浄流路は、前記洗剤混合タンクの前記最低水位よりも低い位置に接続されることを特徴とする請求項２に記載の浴槽洗浄装置。
【請求項４】
前記ポンプを制御する制御部と、
前記洗剤混合タンクの前記供給側空間に設けられ、前記洗剤混合タンクの内部の水位を検知する水位検知手段と、をさらに有し、
前記制御部は、前記水位検知手段の検知結果に基づいて前記ポンプを制御することを特徴とする請求項２または３に記載の浴槽洗浄装置。
【請求項５】
前記洗剤混合タンクは、前記底部が一部段落ちた段落部を有し、
前記段落部には、前記縦壁の下端が位置していると共に、前記洗浄流路が接続されており、
前記洗剤混合タンクの前記最低水位は、前記段落部に位置することを特徴とする請求項３または４に記載の浴槽洗浄装置。
【請求項６】
前記移動阻害部材は、
前記回収側空間を区画する区画壁を有し、
前記区画壁の少なくとも一部は、前記洗剤水の通過を許可し前記泡の通過を阻止するフィルタとなっていることを特徴とする請求項２または３に記載の浴槽洗浄装置。
【請求項７】
前記フィルタは、前記区画壁の最下部に設けられることを特徴とする請求項６に記載の浴槽洗浄装置。
【請求項８】
前記泡侵入抑制手段は、前記回収部に接続され、前記回収部の内部に存在する泡を排出する泡排出流路を有することを特徴とする請求項１〜７のいずれか１つに記載の浴槽洗浄装置。
【請求項９】
前記洗浄流路は、前記回収部の最下底部に接続されることを特徴とする請求項１〜８のいずれか１つに記載の浴槽洗浄装置。
【発明の詳細な説明】
【技術分野】
【０００１】
本発明は、浴槽洗浄装置に関する。
【背景技術】
【０００２】
浴槽の内壁面等に対してノズルから洗剤を水で希釈した洗剤水を噴射させて浴槽の内壁面を洗浄する浴槽洗浄装置が知られている（特許文献１）。この浴槽洗浄装置では、浴槽内に向けてノズルから噴射させた洗剤水を回収して貯水タンクに貯水する。その後、循環ポンプの作動により貯水タンク内の洗剤水を吸い込んで浴槽内に再噴射させることで循環洗浄が実行される。
【先行技術文献】
【特許文献】
【０００３】
【特許文献１】特開２０１３−９８５３号公報
【発明の概要】
【発明が解決しようとする課題】
【０００４】
上述した従来技術では、浴槽内に向けてノズルから噴射させた洗剤水を回収して、その回収した洗剤水を再度浴槽内に向けてノズルから噴射させる回収式となっているので、浴槽内全体を洗浄することを可能としながらも、洗剤水の消費量を抑えることができる。
【０００５】
しかし、このような回収式の構成では、浴槽内に向けてノズルから噴射させた洗剤水を回収する際に、わずかでも空気が混入すると洗剤水が泡化し、貯水タンク内に泡が侵入してしまう。そして、貯水タンク内に泡があると、回収した洗剤水を浴槽内に再噴射する際に、その泡を巻き込み、ノズルからの洗剤水の噴射がうまく行われず、浴槽の洗浄不良になるという問題がある。
【０００６】
本発明はかかる課題の認識に基づいてなされたものであり、回収式にすることで洗剤水の消費量を抑えつつ、洗浄性能の低下を抑制できる浴槽洗浄装置を提供することを目的とする。
【課題を解決するための手段】
【０００７】
第１の発明は、洗剤を貯留する洗剤タンクと、前記洗剤タンクから供給される洗剤と給水源から供給される水とを混合して洗剤水を生成する洗剤混合部と、浴槽の内壁面に前記洗剤水を噴射する洗浄ノズルと、前記浴槽の前記内壁面に接続され、前記洗浄ノズルから噴射された前記洗剤水を回収する回収流路と、前記回収流路に接続され、前記洗剤水を貯留可能な回収部と、前記回収部と前記洗浄ノズルとを接続する洗浄流路と、前記洗浄流路に設けられ、前記回収部で貯留された前記洗剤水を前記洗浄ノズルへと供給するポンプと、を備え、前記回収部は、前記ポンプを介して前記洗浄ノズルから前記洗剤水を噴射する場合に、前記回収部に存在する泡が前記洗浄流路に侵入することを抑制する泡侵入抑制手段を有することを特徴とする浴槽洗浄装置である。
【０００８】
この浴槽洗浄装置によれば、回収式の浴槽洗浄装置が泡侵入抑制手段を備えるため、浴槽の内壁面に噴射した洗剤水を回収する際に空気が混ざり泡が発生したり、回収した洗剤水が回収部に流入する際に泡が発生したりしても、回収した洗剤水を浴槽の内壁面に再噴射する際に、洗浄流路に泡が侵入することを抑制することができる。そのため、洗浄ノズルからの洗剤水の噴射がうまく行われず、浴槽の洗浄不良となることを抑制することができる。よって、回収式にすることで洗剤水の消費量を抑えつつも、洗浄性能の低下を抑制することができる。
【０００９】
第２の発明は、第１の発明において、前記洗剤混合部は、前記洗剤水を貯留可能な洗剤混合タンクであり、前記回収部は、前記洗剤混合タンクに設けられ、前記洗剤混合タンクは、前記回収流路が接続された回収側空間と、前記洗浄流路が接続された供給側空間と、を有し、前記泡侵入抑制手段は、前記回収側空間から前記供給側空間に泡が移動するのを阻害する移動阻害部材を有することを特徴とする浴槽洗浄装置である。
【００１０】
この浴槽洗浄装置によれば、移動阻害部材を備えているため、泡を回収側空間に留めることができる。すなわち、洗剤水を回収することで洗剤混合タンク内に泡が発生したとしても、回収した洗剤水を浴槽の内壁面に再噴射する際に、洗浄流路に泡が侵入することを抑制することができる。
【００１１】
第３の発明は、第２の発明において、前記移動阻害部材は、前記洗剤混合タンクの内部を上下方向に延びる縦壁を有し、前記縦壁の下端は、前記洗浄ノズルから前記洗剤水を噴射しているときの前記洗剤混合タンクの最低水位以下で前記洗剤混合タンクの底部と離間するように設けられ、前記洗浄流路は、前記洗剤混合タンクの前記最低水位よりも低い位置に接続されることを特徴とする浴槽洗浄装置である。
【００１２】
この浴槽洗浄装置によれば、洗剤水を回収することで発生した泡は浮力により、回収側空間の水面に浮くため、泡が縦壁の下端に到達するのを抑制することができる。これにより、泡が回収側空間から供給側空間に移動することを抑制することができる。よって、洗剤水を回収することで洗剤混合タンク内に泡が発生したとしても、回収した洗剤水を浴槽の内壁面に再噴射する際に、洗浄流路に泡が侵入することを抑制することができる。
【００１３】
第４の発明は、第２または第３の発明において、前記ポンプを制御する制御部と、前記洗剤混合タンクの前記供給側空間に設けられ、前記洗剤混合タンクの内部の水位を検知する水位検知手段と、をさらに有し、前記制御部は、前記水位検知手段の検知結果に基づいて前記ポンプを制御することを特徴とする浴槽洗浄装置である。
【００１４】
この浴槽洗浄装置によれば、水位検知手段は供給側空間に設けられているため、水位検知手段が洗剤水を回収することで発生する泡の影響をうけることを抑制することができる。
【００１５】
第５の発明は、第３または第４の発明において、前記洗剤混合タンクは、前記底部が一部段落ちた段落部を有し、前記段落部には、前記縦壁の下端が位置していると共に、前記洗浄流路が接続されており、前記洗剤混合タンクの前記最低水位は、前記段落部に位置することを特徴とする浴槽洗浄装置である。
【００１６】
この浴槽洗浄装置によれば、縦壁、水位検知手段、および洗剤混合タンクと洗浄流路との接続部は、段落部に設けられているため、洗浄流路への泡の侵入を抑制することができる。また併せて、洗剤混合タンクに底部が一部段落ちした段落部を有することにより、洗剤混合タンクに残留する洗剤水の量を段落部がないものに比べて少なくすることができ、洗剤水の無駄を低減することができる。
【００１７】
第６の発明は、第２または第３の発明において、前記移動阻害部材は、前記回収側空間を区画する区画壁を有し、前記区画壁の少なくとも一部は、前記洗剤水の通過を許可し前記泡の通過を阻止するフィルタとなっていることを特徴とする浴槽洗浄装置である。
【００１８】
この浴槽洗浄装置によれば、洗剤水と、洗剤水から発生した泡とを区画壁に回収することができる。さらに、区画壁の少なくとも一部がフィルタであるため、液体状の洗剤水はフィルタを介して通過させることができると共に、泡は区画壁の内部に留めることができる。そのため、泡と洗剤水とを分離することができ、洗剤水のみを洗浄流路へと供給することができる。よって、洗剤水を回収することで洗剤混合タンク内に泡が発生したとしても、回収した洗剤水を浴槽の内壁面に再噴射する際に、洗浄流路に泡が侵入するのを抑制することができる。
【００１９】
第７の発明は、第６の発明において、前記フィルタは、前記区画壁の最下部に設けられることを特徴とする浴槽洗浄装置である。
【００２０】
この浴槽洗浄装置によれば、フィルタは、区画壁の最下部に設けられているため、洗剤水が区画壁の内部に残り無駄となるのを抑制することができる。
【００２１】
第８の発明は、第１〜第７のいずれか１つの発明において、前記泡侵入抑制手段は、前記回収部に接続され、前記回収部の内部に存在する泡を排出する泡排出流路を有することを特徴とする浴槽洗浄装置である。
【００２２】
この浴槽洗浄装置によれば、泡排出流路を備えるため、泡を別の流路に逃がすことで、回収した洗剤水を浴槽の内壁面に再噴射する際に、洗浄流路に泡が侵入することを抑制することができる。
【００２３】
第９の発明は、第１〜第８のいずれか１つの発明において、前記洗浄流路は、前記回収部の最下底部に接続されることを特徴とする浴槽洗浄装置である。
【００２４】
この浴槽洗浄装置によれば、洗浄ノズルへ洗剤水を供給する際に、空気を巻き込むことで、洗浄流路に泡が混入することを抑制することができる。
【発明の効果】
【００２５】
本発明の態様によれば、回収式にすることで洗剤水の消費量を抑えつつ、洗浄性能の低下を抑制することができる浴槽洗浄装置が提供される。
【図面の簡単な説明】
【００２６】
【図１】実施形態に係る浴槽洗浄装置のシステム図である。
【図２】本発明の第１実施形態に係る洗剤混合タンクの斜視図である。
【図３】洗剤混合タンクの断面図である。
【図４】洗剤混合タンクの断面図である。
【図５】本発明の第２実施形態に係る洗剤混合タンクの断面図である。
【図６】本発明の第３実施形態に係る洗剤混合タンクの断面図である。
【図７】本発明の第１変形例に係る洗剤混合タンクの断面図である。
【図８】本発明の第２変形例に係る浴槽洗浄装置のシステム図である。
【図９】本発明の第３変形例に係る浴槽洗浄装置のシステム図である。
【図１０】本発明の第４変形例に係る浴槽洗浄装置のシステム図である。
【発明を実施するための形態】
【００２７】
以下、添付図面を参照しながら本発明の実施形態について説明する。説明の理解を容易にするため、各図面において同一の構成要素に対しては可能な限り同一の符号を付して、重複する説明は省略する。
【００２８】
図１ないし図４は、本発明の第１実施形態を示している。
図１は、実施形態に係る浴槽洗浄装置２００のシステム図である。
【００２９】
浴槽洗浄装置２００は、洗剤タンク１０と、洗浄ノズル２０と、洗浄流路２５と、ポンプ２６と、回収流路３０と、洗剤混合タンク４０と、回収部５０と、泡排出流路７０と、制御部８０とを備える。浴槽洗浄装置２００は、浴槽１００に設置される。
【００３０】
洗剤タンク１０は、浴槽１００のリムの上面に設けられた洗剤投入口１３５と接続されており、洗剤投入口１３５から投入された洗剤を貯留する。洗剤タンク１０には、フロートスイッチなどの水位検知部１１が設けられる。
【００３１】
洗剤流路１５は、洗剤タンク１０から延び、回収流路３０を介して洗剤混合タンク４０に接続されている。すなわち、洗剤流路１５は、回収流路３０の途中部位に接続されている。なお、洗剤流路１５は、回収流路３０に接続せずに、洗剤混合タンク４０に直接接続させてもよい。洗剤流路１５は、洗剤タンク１０内の洗剤を洗剤混合タンク４０に導くものである。そして、洗剤流路１５には、開閉弁１６と、流量調整部１７とが設けられる。
【００３２】
開閉弁１６は、例えば電磁弁であり、洗剤混合タンク４０への洗剤の供給を制御する。開閉弁１６を開状態にすることで、洗剤タンク１０に貯留された洗剤が洗剤混合タンク４０に供給される。一方、開閉弁１６を閉状態にすることで、洗剤タンク１０から洗剤混合タンク４０への洗剤の供給が停止される。
【００３３】
流量調整部１７は、開閉弁１６の下流に設けられる。流量調整部１７は、例えばオリフィスである。流量調整部１７は、洗剤流路１５を流れる洗剤の流量を調整する。流量調整部１７は、必要に応じて設けられ、省略可能である。なお、洗剤流路１５における「下流」とは、洗剤タンク１０から洗剤混合タンク４０に向かって液体が流れる場合における下流（すなわち、洗剤混合タンク４０側）である。
【００３４】
洗浄ノズル２０は、浴槽１００の内壁面１１０に設けられる。具体的には、洗浄ノズル２０は、浴槽１００の内壁面１１０の最下部に位置する内底面１１１、または内底面１１１よりも上方に位置する内側壁面１１２に設けられる。洗浄ノズル２０は、液体（洗剤水または水）を浴槽１００の内壁面１１０（内側壁面１１２）に向けて噴出する。洗浄ノズル２０は、モータ２１により鉛直方向を軸に（すなわち、水平方向に）回転可能に設けられている。
【００３５】
洗浄流路２５は、洗剤混合タンク４０と洗浄ノズル２０とを接続する。洗浄流路２５には、ポンプ２６と、逆流防止部２７と、が設けられる。洗浄流路２５は、洗剤混合タンク４０内の液体を洗浄ノズル２０に向けて導くものである。
【００３６】
ポンプ２６は、洗浄ノズル２０からの液体の噴出を制御する。ポンプ２６は、例えばギアポンプからなり、洗剤混合タンク４０の下流に設けられている。ポンプ２６は、洗剤混合タンク４０（回収部５０）で貯留された洗剤水または水を洗浄ノズル２０へと供給する。なお、洗浄流路２５における「下流」とは、洗剤混合タンク４０から洗浄ノズル２０に向かって液体が流れる場合における下流（すなわち、洗浄ノズル２０側）である。
【００３７】
逆流防止部２７は、ポンプ２６と洗剤混合タンク４０との間に設けられる。逆流防止部２７は、例えば逆止弁からなり、洗剤混合タンク４０から流出した液体が洗剤混合タンク４０へ戻るのを抑制する。逆流防止部２７は、電磁弁などの開閉弁であってもよい。図１に示すように、逆流防止部２７は、洗浄流路２５に直列して複数個（２個）設けられている。なお、逆流防止部２７は、洗浄流路２５に１個設けられていてもよい。
【００３８】
排水部１１５は、浴槽１００の内底面１１１に設けられる。排水部１１５は、浴槽１００内の液体を排出するためのもので、内底面１１１から下方に向かって延び、上下方向に貫通する筒状体となっている。この筒状体の上端側には、開閉可能な蓋部（浴槽１００の栓）が設けられている。浴槽１００の内底面１１１は、排水部１１５に向かって下方傾斜している。このような下方傾斜を設けることで、浴槽１００内の液体は内底面１１１に沿って排水部１１５に導かれる。排水部１１５には、下水道に接続される排水流路１１６と、浴槽１００内の洗剤水を洗剤混合タンク４０に回収する回収流路３０と、洗剤混合タンク４０内の泡Ｂを排出するための泡排出流路７０とが接続されている。
【００３９】
回収流路３０は、排水部１１５と洗剤混合タンク４０（回収部５０）との間を接続している。回収流路３０の途中部位には、洗剤流路１５が接続されている。回収流路３０は、排水部１１５を介して浴槽１００の内壁面１１０（内底面１１１）に接続され、洗浄ノズル２０から噴射された洗剤水を回収する。回収流路３０には、開閉弁３１と、ポンプ３２とが設けられている。
【００４０】
開閉弁３１は、例えば電磁弁であり、洗剤流路１５との接続部よりも浴槽１００から洗剤混合タンク４０に向けて流れる洗剤水の上流（排水部１１５側）に設けられている。開閉弁３１は、浴槽１００内の洗剤水を回収するときに開状態となる。
【００４１】
ポンプ３２は、例えばダイアフラムポンプからなり、洗剤流路１５との接続部よりも下流（洗剤混合タンク４０側）に設けられる。ポンプ３２は、浴槽１００内の洗剤水を洗剤混合タンク４０に向けて回収するときに駆動される。また、ポンプ３２は、洗剤タンク１０内の洗剤を洗剤混合タンク４０に向けて供給するときに駆動される。
【００４２】
洗剤混合タンク４０は、洗剤タンク１０および給水源ＷＳの下流に設けられる。洗剤混合タンク４０は、洗剤タンク１０から供給される洗剤と給水源ＷＳから供給される水とを混合して洗剤水を生成するもので、本発明の洗剤混合部を構成している。なお、本願明細書において「水」という場合には、冷水のみならず、加熱されたお湯も含むものとする。つまり、給水源ＷＳは、給湯器を有していてもよい。洗剤混合タンク４０は、洗浄ノズル２０から洗剤水を噴出する場合には洗剤水を貯留し、洗浄ノズル２０から水を噴出する場合には水を貯留する。
【００４３】
また、洗剤混合タンク４０には、洗浄ノズル２０から浴槽１００に噴出された洗剤水を回収する回収部５０が設けられている。回収部５０は、洗剤水および泡Ｂを貯留可能となっている。回収部５０に回収された洗剤水は、ポンプ２６により洗浄流路２５を流通して洗浄ノズル２０から浴槽１００の内壁面１１０に向けて噴出される。そして、噴出された洗剤水は、排水部１１５から回収流路３０を介して回収部５０に再び回収される。これを繰り返すことで、洗剤水を循環させながら浴槽洗浄を行うことができる。洗剤混合タンク４０および回収部５０の構成については、後述で詳しく説明する。
【００４４】
給水流路６０は、給水源ＷＳと洗剤混合タンク４０との間に設けられる。給水流路６０は、給水源ＷＳと洗剤混合タンク４０とを接続する。給水流路６０には、開閉弁６１と、流量調整部６２と、が設けられる。
【００４５】
開閉弁６１は、例えば電磁弁であり、給水源ＷＳから洗剤混合タンク４０への水の供給を制御する。この場合、開閉弁６１を開状態にすることで、給水源ＷＳからの水が洗剤混合タンク４０に供給される。一方、開閉弁６１を閉状態にすることで、給水源ＷＳから洗剤混合タンク４０への水の供給が停止される。
【００４６】
流量調整部６２は、開閉弁６１の下流に設けられる。流量調整部６２は、例えば定流量弁であり、給水流路６０を流れる水の流量を調整する。なお、給水流路６０における「下流」とは、給水源ＷＳから洗剤混合タンク４０に向かって液体（水）が流れる場合における下流（すなわち、洗剤混合タンク４０側）である。
【００４７】
泡排出流路７０は、回収部５０と排水部１１５との間に設けられ、本発明の泡侵入抑制手段の１つとして用いられている。泡排出流路７０は、回収部５０の内部に存在する泡Ｂを回収部５０（洗剤混合タンク４０）の外部に排出するためのものである。なお、泡排出流路７０は、排水部１１５に接続せずに、直接下水に接続されてもよい。泡排出流路７０には、開閉弁７１と、ポンプ７２とが設けられる。開閉弁７１は、例えば電磁弁であり、回収部５０内に存在する泡Ｂを排出するときに開状態となる。
【００４８】
ポンプ７２は、例えばギアポンプからなり、開閉弁７１よりも下流に設けられる。この場合、泡排出流路７０における「下流」とは、回収部５０から排水部１１５に向かって泡Ｂが流れる場合における下流（すなわち、排水部１１５側）である。なお、ポンプ７２は、開閉弁７１の上流（すなわち、回収部５０側）に設けられていてもよい。回収部５０内の泡Ｂは、ポンプ７２の駆動により吸い込まれて、排水部１１５を介して排水流路１１６から排出される。
【００４９】
制御部８０は、開閉弁１６、ポンプ２６、開閉弁３１、ポンプ３２、開閉弁６１、開閉弁７１、ポンプ７２、および水位検知手段４８と電気的に接続されている。制御部８０は、水位検知手段４８の検知結果に基づいて、各開閉弁１６、３１，６１，７１の開閉状態および各ポンプ２６，３２，７２の駆動を制御する。また、制御部８０は、モータ２１と電気的に接続して、モータ２１の駆動を制御してもよい。
【００５０】
次に、洗剤混合タンク４０と回収部５０とについて説明する。
図２は、洗剤混合タンク４０を斜め上側から見た斜視図である。
図３は、洗剤混合タンク４０の断面図である。
図４は、洗剤混合タンク４０の断面図である。
【００５１】
洗剤混合タンク４０と回収部５０とは一体に形成されており、洗剤タンク１０から供給される洗剤と給水源ＷＳから供給される水とを混合して洗剤水を生成する機能と、浴槽１００から回収された洗剤水および泡Ｂを貯留する機能とを有している。この場合、洗剤混合タンク４０は、回収流路３０が接続された回収側空間Ｓ１と、洗浄流路２５が接続された供給側空間Ｓ２とを有している。そして、洗剤混合タンク４０は、ケース４１と、ケース４１の上側を覆う蓋部４５とを含んで構成されている。
【００５２】
図２から図４に示すように、ケース４１は、例えば上方が開口したボックス状に形成され、水および洗剤水が貯留される。ケース４１は、上側に位置する上側貯留部４２と、上側貯留部４２の下側に位置して上側貯留部４２よりも小さい容量に形成された段落部４３とを有している。上側貯留部４２の側面には、上端側に洗剤混合タンク４０から回収流路３０および給水流路６０に洗剤水が逆流するのを抑制するオーバーフロー部４２ａが設けられている。従って、図３に示すように、オーバーフロー部４２ａよりも下側には、洗浄ノズル２０から洗剤水を噴射しているとき（浴槽洗浄中）の洗剤混合タンク４０の最高水位ＷＨが位置している。
【００５３】
段落部４３は、ケース４１の底部４１ａが一部段落ちすることにより形成されている。すなわち、段落部４３は、上側貯留部４２の中央部から下方に向けて延びている。段落部４３には、縦壁５６の下端５６ａが位置していると共に、洗浄流路２５が接続される流出口４４が設けられている。換言すると、洗浄流路２５は、回収部５０の最下底部に接続されている。段落部４３の底部のうち、縦壁５６の下方は、湾曲した湾曲部４３ａとなっている。この湾曲部４３ａは、流出口４４とは長手方向の反対側に位置して、縦壁５６との間で液体を流通しやすくしている。具体的には、給水時（特に、洗剤水生成時）には、給水口４６から供給側空間Ｓ２に水が供給される。そして、湾曲部４３ａは、供給側空間Ｓ２から回収側空間Ｓ１への水の流通をよくしているので、供給側空間Ｓ２と回収側空間Ｓ１との水位差をなくすことができる。これにより、水位検知手段４８は、洗剤混合タンク４０内の水位を精度よく検知することができる。
【００５４】
図３に示すように、段落部４３には、洗浄ノズル２０から洗剤水を噴射しているとき（浴槽洗浄中）の洗剤混合タンク４０の最低水位ＷＬが位置している。そして、洗浄流路２５は、流出口４４に接続されることにより、洗剤混合タンク４０の最低水位ＷＬよりも低い位置に接続される。段落部４３により、底部４１ａから最低水位ＷＬまでの洗剤水の容量を少なくすることができ、浴槽洗浄に使用できる洗剤水の量を多くすることができる。
【００５５】
蓋部４５には、給水口４６と、吸排口４７と、縦壁５６とが設けられている。給水口４６は、蓋部４５の長手方向のうち流出口４４側に設けられている。給水口４６には、給水流路６０が接続される。吸排口４７は、洗浄流路２５に洗剤水を排出するときにケース４１内に空気を吸気すると共に、ケース４１内に洗剤水を貯留するときにケース４１内の空気を排出する。
【００５６】
接続具５２は、供給側空間Ｓ１の上方に位置して蓋部４５に設けられている。接続具５２には、中央部に泡排出流路７０が接続される泡排出口５３が設けられ、泡排出口５３よりも吸排口４７側に回収流路３０が接続される回収口５４が設けられている。回収口５４は、浴槽１００から回収された洗剤水が流通すると共に、洗剤タンク１０から供給される洗剤が流通する。また、接続具５２には、泡排出口５３を挟んで回収口５４とは反対側に吸排口５５が設けられている。
【００５７】
次に、本発明の泡侵入抑制手段の１つとして用いられている縦壁５６について説明する。
【００５８】
縦壁５６は、ケース４１の段落部４３の湾曲部４３ａに対応する位置で、ケース４１内を上下方向に延びている。すなわち、縦壁５６は、蓋部４５の上端から湾曲部４３ａに向けて延びている。また、縦壁５６は、ケース４１の長手方向と直交する側の側面を閉塞している。なお、縦壁５６は、蓋部４５に設けられているが、ケース４１に設けられていてもよい。また、縦壁５６は、最高水位ＷＨよりも上側に泡Ｂが回収側空間Ｓ１から供給側空間Ｓ２に越えないような開口が形成されていてもよい。
【００５９】
縦壁５６は、回収側空間Ｓ１から供給側空間Ｓ２に泡Ｂが移動するのを阻害する移動阻害部材（泡侵入抑制手段）となっている。換言すると、洗剤混合タンク４０は、縦壁５６を境にして、回収口５４側が回収側空間Ｓ１であり、流出口４４側が供給側空間Ｓ２となっている。すなわち、縦壁５６は、回収口５４と流出口４４との間に設けられている。
【００６０】
縦壁５６の下端５６ａは、洗浄ノズル２０から洗剤水を噴射しているときの洗剤混合タンク４０の最低水位ＷＬ以下で洗剤混合タンク４０の底部４１ａ（湾曲部４３ａ）と離間するように設けられている。従って、浴槽１００の洗浄中には、洗剤混合タンク４０内の洗剤水が縦壁５６の下端よりも下がることはない。その結果、図４に示すように、泡Ｂは、洗剤水の上面に浮くので、回収側空間Ｓ１から供給側空間Ｓ２に移動するのを抑制される。すなわち、縦壁５６は、その下端５６ａが最低水位ＷＬよりも下方に存在することで、洗剤混合タンク４０（回収部５０）内に貯留される液体の水位を利用して回収側空間Ｓ１から供給側空間Ｓ２に泡Ｂが移動するのを阻害するものである。このように、回収部５０は、洗剤混合タンク４０の給水口４６以外の部分を構成している。なお、縦壁５６は、回収口５４と流出口４４との間に複数本設けられていてもよい。
【００６１】
水位検知手段４８は、洗剤混合タンク４０の供給側空間Ｓ２に設けられている。すなわち、水位検知手段４８は、流出口４４と縦壁５６との間に設けられている。この水位検知手段４８は、洗剤混合タンク４０の内部の水位を検知するもので、制御部８０に電気的に接続されている。水位検知手段４８は、例えば磁石を内蔵したフロート４８ａと、ステム４８ｂ内に設けられたリードスイッチとの組み合わせにより水位を検知する。
【００６２】
洗剤混合タンク４０内の水位の変化に伴ってフロート４８ａがステム４８ｂに沿って上下動してフロート４８ａの位置が変化することで、洗剤混合タンク４０内の水位が検知される。この場合、回収側空間Ｓ１に存在する泡Ｂが供給側空間Ｓ２に移動すると、泡Ｂがフロート４８ａを押上げて水位よりも上側で検知することになり、誤作動を起こす虞がある。しかし、回収側空間Ｓ１に存在する泡Ｂは、縦壁５６により供給側空間Ｓ２に移動するのを抑制されるので、水位検知手段４８の検知を適正に行うことができる。
【００６３】
本実施形態の浴槽洗浄装置２００は、上述の如き構成を有するもので、次に浴槽洗浄装置２００の動作について説明する。
【００６４】
浴槽洗浄装置２００は、予備洗浄、本洗浄、およびすすぎの３つの動作モードを実行可能である。
まず、予備洗浄では、給水源ＷＳから洗剤混合タンク４０内に水を供給して貯留し、ポンプ２６により洗浄ノズル２０から浴槽１００の内壁面１１０に向けて水を噴射する。所定量の水を浴槽１００の内壁面１１０に向けて噴射したら予備洗浄が終了する。そして、この予備洗浄の後、洗剤水を使った本洗浄が実行される。
【００６５】
本洗浄では、洗剤混合タンク４０で洗剤タンク１０から供給された洗剤と給水源ＷＳから供給された水とを混合して洗剤水を生成する。制御部８０は、洗剤水が生成されたら（水位検知手段４８が最高水位ＷＨを検知したら）、開閉弁１６，６１を閉状態にして、ポンプ２６とモータ２１とを駆動する。これにより、洗浄ノズル２０から洗剤水が浴槽１００の内壁面１１０に向けて噴射される。
【００６６】
そして、制御部８０は、水位検知手段４８が最低水位ＷＬを検知したら、ポンプ２６とモータ２１との駆動を停止させる。その後、制御部８０は、開閉弁３１を開状態にしてポンプ３２を駆動させることにより、浴槽１００に噴射された洗剤水を洗剤混合タンク４０内に回収する。洗剤水の回収を所定時間継続したら、ポンプ２６とモータ２１とを駆動させて、浴槽１００の洗浄を再開する。この場合、制御部８０は、ポンプ２６とポンプ３２とを制御することにより、洗剤混合タンク４０内の洗剤水が最低水位ＷＬ以下にならないように、洗剤水の噴射と回収とを行う。
【００６７】
ところで、浴槽内に向けて洗浄ノズルから噴射させた洗剤水を回収する際に、わずかでも空気が混入すると洗剤水が泡化し、洗剤混合タンク内に泡が侵入してしまう。そして、洗剤混合タンク内に泡があると、回収した洗剤水を浴槽内に再噴射する際に、その泡を巻き込み、洗浄ノズルからの洗剤水の噴射がうまく行われず、浴槽の洗浄不良になるという問題がある。また、洗剤混合タンク内に泡が侵入すると、洗剤混合タンクの水位検知手段が泡の位置を検知して、制御部が洗剤混合タンク内の洗剤水の量を誤検知する虞がある。
【００６８】
そこで、本実施形態では、洗剤混合タンク４０に浴槽１００の内壁面１１０に噴射された洗剤水を回収する回収部５０を設けている。そして、回収部５０は、ポンプ２６を介して洗浄ノズル２０から洗剤水を噴射する場合に、回収部５０に存在する泡Ｂが洗浄流路２５に侵入することを抑制する泡侵入抑制手段（移動阻害部材）としての縦壁５６を設けている。
【００６９】
具体的には、図４に示すように、浴槽１００から洗剤水と泡Ｂとが回収された場合には、洗剤水と泡Ｂとは回収流路３０が接続される回収口５４から回収側空間Ｓ１に流出する。そして、洗剤水は、回収側空間Ｓ１から、縦壁５６の下端５６ａとケース４１の底部４１ａとの間を介して供給側空間Ｓ２へと流出する。
【００７０】
一方、回収側空間Ｓ１に流出した泡Ｂは、洗剤水の上面に蓄積され、ポンプ７２を駆動することにより、回収口５４に接続された泡排出流路７０に吸い込まれて、排水部１１５から排水流路１１６に排出される。
【００７１】
上側貯留部４２の回収側空間Ｓ１に流出した泡Ｂは、縦壁５６まで流出して洗剤水の上面に蓄積される。この場合、縦壁５６の下端５６ａは、洗剤混合タンク４０の最低水位ＷＬよりも下側に位置している。これにより、泡Ｂは、縦壁５６の下端５６ａと底部４１ａとの間から供給側空間Ｓ２に流出するのが抑制される。従って、回収側空間Ｓ１から供給側空間Ｓ２へは、洗剤水のみを流出させることができ、洗浄流路２５に泡Ｂが流出するのを抑制することができる。また、水位検知手段４８は、供給側空間Ｓ２に設けられているので、洗剤混合タンク４０内の洗剤水の量を適正に検知することができる。本洗浄が終わったら、すすぎが行われる。すすぎでは、予備洗浄と同じ動作がなされる。すすぎが終了することにより、浴槽１００の自動洗浄が終了する。
【００７２】
かくして、本実施形態では、回収式の浴槽洗浄装置２００が泡侵入抑制手段としての縦壁５６を備えるため、浴槽１００の内壁面１１０に噴射した洗剤水を回収する際に空気が混ざり泡Ｂが発生したり、回収した洗剤水が回収部５０に流入する際に泡Ｂが発生したりしても、回収した洗剤水を浴槽１００の内壁面１１０に再噴射する際に、洗浄流路２５に泡Ｂが侵入することを抑制することができる。
【００７３】
すなわち、移動阻害部材としての縦壁５６は、泡Ｂを回収側空間Ｓ１に留めることができる。従って、洗剤水を回収することで洗剤混合タンク４０内に泡Ｂが発生したとしても、回収した洗剤水を浴槽１００の内壁面１１０に再噴射する際に、洗浄流路２５に泡Ｂが侵入することを抑制することができる。そのため、洗浄ノズル２０からの洗剤水の噴射がうまく行われず、浴槽１００の洗浄不良となることを抑制することができる。よって、回収式にすることで洗剤水の消費量を抑えつつも、洗浄性能の低下を抑制することができる。
【００７４】
また、洗剤水を回収することで発生した泡Ｂは浮力により、回収側空間Ｓ１の水面に浮くため、泡Ｂが縦壁５６の下端５６ａに到達するのを抑制することができる。これにより、泡Ｂが回収側空間Ｓ１から供給側空間Ｓ２に移動することを抑制することができる。よって、洗剤水を回収することで洗剤混合タンク４０内に泡Ｂが発生したとしても、回収した洗剤水を浴槽１００の内壁面１１０に再噴射する際に、洗浄流路２５に泡Ｂが侵入することを抑制することができる。
【００７５】
また、水位検知手段４８は、供給側空間Ｓ２に設けられているため、水位検知手段４８が洗剤水を回収することで発生する泡Ｂの影響をうけることを抑制することができる。
【００７６】
また、縦壁５６、水位検知手段４８、および洗剤混合タンク４０と洗浄流路２５との接続部である流出口４４は、段落部４３に設けられているため、洗浄流路２５への泡Ｂの侵入を抑制しつつ、回収流路３０から回収された洗剤水の無駄を低減することができる。すなわち、洗剤混合タンク４０に底部４１ａが一部段落ちした段落部４３を有することにより、洗剤混合タンク４０に残留する洗剤水の量を段落部４３がないものに比べて少なくすることができる。
【００７７】
また、泡排出流路７０を備えるため、泡Ｂを別の流路に逃がすことで、回収した洗剤水を浴槽１００の内壁面１１０に再噴射する際に、洗浄流路２５に泡Ｂが侵入することを抑制することができる。
【００７８】
さらに、洗浄流路２５は、回収部５０の最下底部に接続されているので、洗浄ノズル２０へ洗剤水を供給する際に、空気を巻き込むことで、洗浄流路２５に泡が混入することを抑制することができる。
【００７９】
次に、図５は、本発明の第２実施形態に係る洗剤混合タンク４０（回収部５０）の断面図を示している。
第２実施形態の特徴は、縦壁５６に代えて、区画壁としての泡貯留部５１を設けたことにある。なお、第２実施形態では、上述した第１実施形態と同一の構成要素に同一符号を付し、その説明を省略する。
【００８０】
泡貯留部５１は、給水口４６とは蓋部４５の長手方向の反対側に設けられ、ケース４１の上側貯留部４２内に向けて延びる区画壁となっている。泡貯留部５１は、本発明の泡侵入抑制手段の１つを構成するもので、底部５１ａがケース４１の底部４１ａに近づくように延びている。泡貯留部５１は、底部５１ａと底部５１ａの端部から上方に延びる側壁５１ｃとにより上端側が開口したボックス状に形成され、洗剤水と、洗剤水に空気が混入して生成された泡Ｂとを貯留可能に区画している。
【００８１】
泡貯留部５１の上端側は、回収流路３０と、泡排出流路７０とが接続される接続具５２により閉塞されている。接続具５２には、中央部に泡排出流路７０が接続される泡排出口５３が設けられ、泡排出口５３よりも吸排口４７側に回収流路３０が接続される回収口５４が設けられている。回収口５４は、浴槽１００から回収された洗剤水が流通すると共に、洗剤タンク１０から供給される洗剤が流通する。また、接続具５２には、泡排出口５３を挟んで回収口５４とは反対側に吸排口５５が設けられている。一方、泡貯留部５１の底部５１ａには、ケース４１の上側貯留部４２に連通する開口５１ｂが設けられている。泡貯留部５１に貯留された洗剤水は、開口５１ｂから上側貯留部４２に流出する。
【００８２】
フィルタ５１ｄは、泡貯留部５１の底部５１ａに形成された開口５１ｂに設けられるもので、泡貯留部５１（区画壁）の一部を構成している。フィルタ５１ｄは、泡Ｂと液体（洗剤水）とを分離する濾過部材としての役割を果たす。フィルタ５１ｄは、例えば多孔質のスポンジ、樹脂材料または金属材料で格子状に形成された網目部材、濾紙、こし布、およびスチールウールを一例として挙げることができる。本実施形態では、回収流路３０から流出した洗剤水と泡Ｂとを貯留可能に区画された区画壁としての泡貯留部５１と、泡貯留部５１の開口５１ｂに設けられ洗剤水の通過を許可し泡Ｂの通過を阻止するフィルタ５１ｄとにより、移動阻害部材が構成されている。従って、本実施形態では、洗剤混合タンク４０は、泡貯留部５１の内部空間が回収側空間Ｓ１となり、泡貯留部５１の外部空間が供給側空間Ｓ２となっている。
【００８３】
なお、区画壁としての泡貯留部５１の全体をフィルタ５１ｄで形成してもよい。また、開口５１ｂは、側壁５１ｃに設けられていてもよい。しかし、側壁５１ｃに開口が設けられた場合には、開口より下方に洗剤水が溜まるので、その溜まった洗剤水が無駄になってしまう。一方、開口５１ｂが、底部５１ａおよび底部５１ａを含む側壁５１ｃに設けられていることで、回収側空間Ｓ１に回収した洗剤水の無駄を低減することができる。
【００８４】
かくして、このように構成された第２実施形態においても、上述した第１実施形態と同様の作用、効果を有することができる。第２実施形態においては、洗剤水と、洗剤水から発生した泡Ｂとを区画壁（泡貯留部５１）に回収することができる。さらに、区画壁の少なくとも一部がフィルタ５１ｄであるため、液体状の洗剤水はフィルタ５１ｄを介して通過させることができると共に、泡Ｂは区画壁の内部に留めることができる。そのため、泡Ｂと洗剤水とを分離することができ、洗剤水のみを洗浄流路２５へと供給することができる。よって、洗剤水を回収することで洗剤混合タンク４０内に泡Ｂが発生したとしても、回収した洗剤水を浴槽１００の内壁面１１０に再噴射する際に、洗浄流路２５に泡Ｂが侵入するのを抑制することができる。
【００８５】
また、図５に示すように、浴槽１００から洗剤水と泡Ｂとが回収された場合には、洗剤水と泡Ｂとは回収流路３０が接続される回収口５４から泡貯留部５１の回収側空間Ｓ１に流出する。そして、洗剤水は、泡貯留部５１の開口５１ｂに設けられたフィルタ５１ｄから供給側空間Ｓ２へと流出する。一方、泡Ｂは、泡貯留部５１内である回収側空間Ｓ１に貯留される。そして、泡貯留部５１内に貯留された泡Ｂは、ポンプ７２を駆動することにより、泡排出口５３に接続された泡排出流路７０に吸い込まれて、排水部１１５から排水流路１１６に排出させることができる。さらに、泡貯留部５１は、蓋部４５に設けられている。従って、ケース４１を複雑な形状に成形する必要がなく、ケース４１のコストを低減させることができる。
【００８６】
また、フィルタ５１ｄは、泡貯留部５１の底部５１ａに形成された開口５１ｂに設けられている。従って、洗剤水が泡貯留部５１の内部に残り無駄となるのを抑制することができる。また、ケース４１を複雑な形状に成形する必要がなく、かつフィルタ５１ｄは泡貯留部５１の外部（供給側空間Ｓ２）から内部（回収側空間Ｓ１）への液体の通過も許可する。従って、ケース４１の容量を大きくすることができ、洗剤混合タンク４０の小型化を図ることができる。
【００８７】
次に、図６は、本発明の第３実施形態に係る洗剤混合タンク４０（回収部５０）の断面図を示している。
第３実施形態の特徴は、第１実施形態の縦壁５６に加えて、回収流路３０が接続される回収口５４の下方にフィルタ５８を設けたことにある。なお、第３実施形態では、上述の第１実施形態と同一の構成要素に同一符号を付し、その説明を省略する。
【００８８】
フィルタ５８は、回収流路３０が接続される回収口５４の下方に位置してケース４１に設けられている。このフィルタ５８は、第２実施形態のフィルタ５１ｄと同様の材質となっている。フィルタ５８は、ケース４１の側面と縦壁５６との間に設けられ、回収側空間Ｓ１を上側空間Ｓuと下側空間Ｓdとに区画している。本実施形態では、第２実施形態の泡貯留部５１（区画壁）に代えて、ケース４１の側面の上側部分、フィルタ５８、縦壁５６の上側部分により、内部に泡Ｂを貯留可能な区画壁を形成している。すなわち、縦壁５６とフィルタ５８とは、泡Ｂが回収側空間Ｓ１から供給側空間Ｓ２に移動するのを阻止する移動阻止部材となっている。この場合、回収口５４から流出した洗剤水は、フィルタ５８を通過して供給側空間Ｓ２へと流出する。一方、回収口５４から流出した泡Ｂは、その多くがフィルタ５８上に留まることになる。また、泡Ｂがフィルタ５８を通り抜けて下側空間Ｓdに流出したとしても、縦壁５６により泡Ｂは下側空間Ｓdから供給側空間Ｓ２に移動するのを阻止される。
【００８９】
かくして、このように構成された第３実施形態においても、上述した第１実施形態と同様の作用、効果を有することができる。第３実施形態においては、ケース４１の側面、フィルタ５８、および縦壁５６により区画壁を形成して、その内部の回収側空間Ｓ１に泡を留めるものと、下端を水位よりも下方に位置させることにより水面に浮かぶ泡Ｂが供給側空間Ｓ２に移動するのを抑制する縦壁５６によるものとにより、二重に泡Ｂが供給側空間Ｓ２に移動するのを抑制している。従って、より確実に泡Ｂが供給側空間Ｓ２に移動するのを抑制することができる。また、回収口５４から流出する洗剤水がフィルタ５８上に貯留された泡Ｂに衝突することにより、泡Ｂを消滅させることができる。これにより、泡Ｂを洗剤水に戻すことができるので、洗剤水の無駄を低減することができる。
【００９０】
図７は、本発明の第１変形例に係る洗剤混合タンクの断面図である。
上述した第１実施形態では、移動阻害部材（泡侵入抑制手段）として、縦壁５６を設けたものを例に挙げて説明した。しかし、本発明はこれに限らず、例えば図７に示す第１変形例のように、縦壁５６に加えて、第２実施形態で用いた泡貯留部５１を設けてもよい。この場合、洗剤混合タンク４０（回収部５０）は、区画された内部に泡Ｂを留めることができる泡貯留部５１と、洗剤混合タンク４０（回収部５０）の水位を利用して回収側空間Ｓ１から供給側空間Ｓ２に泡Ｂが移動するのを阻害する縦壁５６との二重の泡侵入抑制手段を備えている。その結果、回収側空間Ｓ１から供給側空間Ｓ２に泡Ｂが移動するのをより確実に抑制することができる。また、泡貯留部５１内に貯留された泡Ｂは、ポンプ７２を駆動することにより、泡排出口５３に接続された泡排出流路７０に吸い込まれて、排水部１１５から排水流路１１６に排出させることができる。
【００９１】
図８は、本発明の第２変形例に係る浴槽洗浄装置２０１のシステム図である。
上述した第１実施形態では、洗剤混合タンク４０に回収部５０が設けられたものを例に挙げて説明した。しかし、本発明はこれに限らず、例えば図８に示す第２変形例のように、浴槽洗浄装置２０１は、回収部を洗剤混合タンク４０１と別個に形成した回収タンク５０１としてもよい。このように構成した場合には、洗剤混合タンク４０１は、新しい洗剤水のみを生成するものとなる。そして、本洗浄中には、浴槽１００と回収タンク５０１との間で洗剤水が循環する。このことは、第２，第３実施形態についても同様である。
【００９２】
図９は、本発明の第３変形例に係る浴槽洗浄装置２０２のシステム図である。
上述した第１実施形態では、洗剤混合タンク４０に回収部５０が設けられたものを例に挙げて説明した。しかし、本発明はこれに限らず、例えば図９に示す第３変形例のように、浴槽洗浄装置２０２がベンチュリ式として洗剤混合部４０２および逆流防止機構６３を備えたものでは、回収部を回収タンク５０２とすることができる。このように構成した場合には、洗剤混合部４０２で、生成された洗剤水が浴槽１００と回収タンク５０２との間で循環する。このことは、第２，第３実施形態についても同様である。
【００９３】
図１０は、本発明の第４変形例に係る浴槽洗浄装置２０３のシステム図である。
上述した第１実施形態では、洗浄流路２５に設けられたポンプ２６と回収流路３０に設けられたポンプ３２とを別個に設けた場合を例に挙げて説明した。しかし、本発明はこれに限らず、例えば図１０に示す第４変形例のように、浴槽洗浄装置２０３は、洗浄流路２５と回収流路３０との一部を共通化させて、その共通した流路に１個のポンプ９０を設けてもよい。このように構成した場合には、ポンプ９０を正転させることにより洗剤混合タンク４０から洗浄ノズル２０に向けて洗剤水を供給することができ、ポンプ９０を逆転させることにより浴槽１００から洗剤混合タンク４０に向けて洗剤水を回収することができる。このことは、第２，第３実施形態についても同様である。
【００９４】
また、上述した第１実施形態では、縦壁５６が設けられたものを例に挙げて説明した。しかし、本発明はこれに限らず、例えば縦壁５６を設けずに、回収部５０の内部に存在する泡を排出するための泡排出流路７０のみを回収部５０に接続してもよい。
【００９５】
また、上述した第１実施形態では、縦壁５６の下端５６ａと底部４１ａとの間から洗剤水が供給側空間Ｓ２に流出する場合を例に挙げて説明した。しかし、本発明はこれに限らず、例えば縦壁の一部または全部を洗剤水は通過させ泡Ｂの通過を抑制するフィルタとしてもよい。また、同様に第２実施形態の泡貯留部５１の区画壁の全部をフィルタで形成してもよいし、区画壁の底部５１ａ側の側面にフィルタを設けてもよい。
【００９６】
また、上述した第１実施形態では、洗剤混合タンク４０（回収部５０）に泡排出流路７０が接続された場合を例に挙げて説明した。しかし、本発明はこれに限らず、例えば洗剤混合タンク４０（回収部５０）には泡排出流路７０が設けられていなくてもよい。このことは、第２，第３実施形態および第１変形例についても同様である。
【００９７】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、浴槽洗浄装置２００が備える各要素の形状、寸法、材質、配置などは、例示したものに限定されるわけではなく適宜変更することができる。
【００９８】
また、前述した各実施形態が備える各要素は、技術的に可能な限りにおいて組み合わせることができ、これらを組み合わせたものも本発明の特徴を含む限り本発明の範囲に包含される。
【符号の説明】
【００９９】
１ 洗剤タンク、１０ 洗剤タンク、１５ 洗剤流路、２０ 洗浄ノズル、２５ 洗浄流路、２６ ポンプ、３０ 回収流路、４０，４０１，４０２ 洗剤混合タンク、４３ 段落部、４８ 水位検知手段、５０ 回収部、５１ 泡貯留部、５６ 縦壁、５１ｄ，５８ フィルタ、７０ 泡排出流路、８０ 制御部、１００ 浴槽、１１０ 内壁面、２００，２０１，２０２，２０３ 浴槽洗浄装置、５０１，５０２ 回収タンク、Ｂ 泡、Ｓ１ 回収側空間、Ｓ２ 供給側空間、ＷＨ 最高水位、ＷＬ 最低水位、ＷＳ 給水源
【図１】
2020096663.tif 000003
【図２】
2020096663.tif 000004
【図３】
2020096663.tif 000005
【図４】
2020096663.tif 000006
【図５】
2020096663.tif 000007
【図６】
2020096663.tif 000008
【図７】
2020096663.tif 000009
【図８】
2020096663.tif 000010
【図９】
2020096663.tif 000011
【図１０】
2020096663.tif 000012